(57)【要約】【課題】竪樋を竪樋支持具に仮止めすることができ、竪樋を竪樋支持具に取り付けた後も竪樋の位置調整が可能な竪樋支持構造を提供すること。【解決手段】可動部材４がガイド部３の先端側に位置している状態では、挟持片６によって竪樋１の結合部１２を保持して竪樋の仮止めが可能であり、竪樋が仮止めされた状態で、可動部材をガイド部の立面３２１に沿って固定部３１側にスライドさせると、段部３３が貫通口８２に挿入され、押出部材７が段部によって開口部８１から押し出されて竪樋と当接して、竪樋が竪樋支持具に固定される。【選択図】図１
2018119373.tif 000002
【特許請求の範囲】
【請求項１】
竪樋本体の外面から突出する結合部を備えた竪樋と、建物外壁に固定されて前記竪樋を支持する竪樋支持具とを含む竪樋支持構造であって、
前記竪樋支持具は、固定部材と可動部材とを備え、
固定部材は、
建物外壁に固定される固定部と、
前記固定部の建物外方側から水平方向に延びる立面を備えたガイド部と、
前記固定部側に位置する前記ガイド部から建物外方側に向かって突出する段部と、
を備え、
可動部材は、
中空部を備えた収容部と、
前記収容部の水平方向の両端部から前記竪樋と対向する側に向かって延びる一対の挟持片と、
前記収容部の前記中空部内に保持される押出部材と、
を備え、前記収容部の前記中空部は、前記竪樋と対向する側に開口する開口部と、前記開口部と連通し、かつ、前記竪樋と対向する方向と直交する水平方向に貫通する貫通口とを有し、
前記収容部の前記貫通口には、前記押出部材の背面側を通して前記固定部材の前記ガイド部が挿通され、前記ガイド部の前記立面に沿って前記可動部材がスライド自在に保持されており、
前記可動部材が前記ガイド部の先端側に位置している状態では、前記挟持片によって前記竪樋の前記結合部を保持して前記竪樋の仮止めが可能であり、
前記竪樋が仮止めされた状態で、前記可動部材を前記ガイド部の前記立面に沿って前記固定部側にスライドさせると、前記段部が前記貫通口に挿入され、前記押出部材が前記段部によって前記開口部から押し出されて前記竪樋と当接して、前記竪樋が前記竪樋支持具に固定されることを特徴とする竪樋支持構造。
【請求項２】
前記収容部には、前記貫通口が形成されている一端から他端側に向かって水平に切り欠かれたスリット部が形成されており、
前記可動部材を前記ガイド部の前記立面に沿って前記固定部側にスライドさせると、前記固定部材の先端付近が前記可動部材の前記スリット部に挿入されることを特徴とする請求項１に記載の竪樋支持構造。
【請求項３】
前記固定部材の前記段部には、表面に突起部が形成されており、前記押出部材には、前記ガイド部と対峙する側に溝部が形成されており、
前記固定部材の前記段部が前記貫通口に挿入されると、前記突起部が前記溝部に係止されることを特徴とする請求項１または２に記載の竪樋支持構造。
【発明の詳細な説明】
【技術分野】
【０００１】
本発明は、竪樋支持構造に関する。
【背景技術】
【０００２】
従来より、竪樋と、建物外壁に固定されて竪樋を支持する竪樋支持具とを備えた竪樋支持構造が知られている。
【０００３】
例えば、特許文献１の竪樋支持構造では、竪樋に設けられた結合部（突条係止リブの係止部）と竪樋支持具（樋係着部材）の両端の係止片とを係合させることで、竪樋を竪樋支持具に取り付けている。また、この竪樋支持構造では、竪樋支持具（樋係着部材）の中央に設けられた係合片が竪樋の突条係止リブの間に挿入されて係合溝部と対峙している。
【先行技術文献】
【特許文献】
【０００４】
【特許文献１】特開2000−248699号公報
【発明の概要】
【発明が解決しようとする課題】
【０００５】
しかしながら、特許文献１の竪樋支持構造の場合、竪樋支持具の両端の係止片と中央に設けられた係合片とによって竪樋の結合部を強く保持する構造であるため、一旦、竪樋を竪樋支持具に取り付けると、竪樋の位置調整を行うのが難しいという問題がある。
【０００６】
本発明は、以上のとおりの事情に鑑みてなされたものであり、竪樋を竪樋支持具に仮止めすることができ、竪樋を竪樋支持具に取り付けた後も竪樋の位置調整が可能な竪樋支持構造を提供することを課題としている。
【課題を解決するための手段】
【０００７】
上記の課題を解決するために、本発明は、竪樋本体の外面から突出する結合部を備えた竪樋と、建物外壁に固定されて前記竪樋を支持する竪樋支持具とを含む竪樋支持構造であって、
前記竪樋支持具は、固定部材と可動部材とを備え、
固定部材は、
建物外壁に固定される固定部と、
前記固定部の建物外方側から水平方向に延びる立面を備えたガイド部と、
前記固定部側に位置する前記ガイド部から建物外方側に向かって突出する段部と、
を備え、
可動部材は、
中空部を備えた収容部と、
前記収容部の水平方向の両端部から前記竪樋と対向する側に向かって延びる一対の挟持片と、
前記収容部の前記中空部内に保持される押出部材と、
を備え、前記収容部の前記中空部は、前記竪樋と対向する側に開口する開口部と、前記開口部と連通し、かつ、前記竪樋と対向する方向と直交する水平方向に貫通する貫通口とを有し、
前記収容部の前記貫通口には、押出部材の背面側を通して前記固定部材の前記ガイド部が挿通され、前記ガイド部の前記立面に沿って前記可動部材がスライド自在に保持されており、
前記可動部材が前記ガイド部の先端側に位置している状態では、前記挟持片によって前記竪樋の前記結合部を保持して前記竪樋の仮止めが可能であり、
前記竪樋が仮止めされた状態で、前記可動部材を前記ガイド部の前記立面に沿って前記固定部側にスライドさせると、前記段部が前記貫通口に挿入され、前記押出部材が前記段部によって前記開口部から押し出されて前記竪樋と当接して、前記竪樋が前記竪樋支持具に固定されることを特徴としている。
【発明の効果】
【０００８】
本発明の竪樋支持構造によれば、竪樋を竪樋支持具に仮止めすることができ、竪樋を竪樋支持具に取り付けた後も竪樋の位置調整を行うことができる。
【図面の簡単な説明】
【０００９】
【図１】本発明の竪樋支持構造の一実施形態を例示した斜視図である。
【図２】図１に例示した竪樋支持具の固定部材の一実施形態を示した斜視図である。
【図３】図１に例示した竪樋支持具の可動部材の一実施形態を示した内部透視図である。
【図４】図１に例示した竪樋支持具の可動部材の一実施形態を示した斜視図である。
【図５】図１〜図４に示した竪樋支持構造の一実施形態において、竪樋を竪樋支持具に仮止めした状態を例示した水平方向の断面図である。
【図６】図５に示した実施形態において、竪樋を竪樋支持具に固定した状態を例示した水平方向の断面図である。
【図７】本発明の竪樋支持構造の別の実施形態において、竪樋を竪樋支持具に仮止めした状態を例示した水平方向の断面図である。
【図８】図７に示した実施形態において、竪樋を竪樋支持具に固定した状態を例示した水平方向の断面図である。
【発明を実施するための形態】
【００１０】
図１は、本発明の竪樋支持構造の一実施形態を例示した斜視図である。図２は、図１に例示した竪樋支持具の固定部材の一実施形態を示した斜視図である。図３は、図１に例示した竪樋支持具の可動部材の一実施形態を示した内部透視図である。図４は、図１に例示した竪樋支持具の可動部材の一実施形態を示した斜視図である。
【００１１】
この実施形態の竪樋支持構造は、竪樋本体１１の外面から突出する結合部１２を備えた竪樋１と、建物外壁に固定されて竪樋１を支持する竪樋支持具２とを含む。
【００１２】
竪樋支持具２は、固定部材３と可動部材４とを備える。固定部材３は、建物外壁に固定される固定部３１と、固定部３１の建物外方側から水平方向に延びる立面３２１を備えたガイド部３２と、固定部３１側に位置するガイド部３２から建物外方側に向かって突出する段部３３とを備える。可動部材４は、中空部８を備えた収容部５と、収容部５の水平方向の端部から竪樋１と対向する側に向かって延びる一対の挟持片６と、収容部５の中空部８内に保持される押出部材７とを備える。収容部５の中空部８は、竪樋１と対向する側に開口する開口部８１と、開口部８１と連通し、かつ、竪樋１と対向する方向と直交する水平方向に貫通する貫通口８２とを有する。収容部５の貫通口８２には、押出部材７の背面側を通して固定部材３１のガイド部３２が挿通され、ガイド部３２の立面３２１に沿って可動部材４がスライド自在に保持されている。可動部材４がガイド部３２の先端側に位置している状態では、挟持片６によって竪樋１の結合部１２を保持して竪樋１の仮止めが可能である。竪樋１が仮止めされた状態で、可動部材４をガイド部３２の立面３２１に沿って固定部３１側にスライドさせる。段部３３が貫通口８２に挿入され、押出部材７が段部３３によって開口部８１から押し出されて竪樋１と当接して、竪樋１が竪樋支持具２に固定される。
【００１３】
この実施形態の竪樋支持構造では、収容部５には、貫通口８２が形成されている一端から他端側に向かって水平に切り欠かれたスリット部５４aが形成されていることが好ましい。可動部材４をガイド部３２の立面３２１に沿って固定部３１側にスライドさせると、固定部材３の先端付近が可動部材４のスリット部５４aに挿入されることが好ましい。
【００１４】
この実施形態の竪樋支持構造では、固定部材３の段部３３には、表面に突起部３３３が形成されており、押出部材７には、ガイド部３２と対峙する側に溝部７１aが形成されていることが好ましい。固定部材３の段部３３が貫通口８２に挿入されると、突起部３３３が溝部７２aに係止されることが好ましい。
【００１５】
以下、本発明の竪樋支持構造の一実施形態について図面とともに詳しく説明する。
【００１６】
図１に例示したように、竪樋１は、竪樋本体１１と結合部１２とを備えている。竪樋本体１１は、縦長の略円筒状に形成されている。結合部１２は、竪樋本体１１の外面から突出する２つのリブ１２aが互いに対向している。リブ１２aは竪樋本体１１の長手方向に沿って延びており、互いに平行である。リブ１２aの先端には、対向する他方のリブ１２aとは反対方向に向かって突出する係合爪１２bが設けられている。
【００１７】
竪樋支持具２は、固定部材３と可動部材４とを備えている。
【００１８】
図２に例示したように、固定部材３は、固定部３１と、ガイド部３２と、段部３３とを備えている。
【００１９】
固定部３１は、垂直に起立する固定板部３１１と、固定板部３１１の下端から建物外方へ向かって突出する水平板部３１２とを備えている。
【００２０】
固定板部３１１には、中央にネジなどの固定具（図示していない）を挿入するための挿入孔３１３が形成されている。固定板部３１１を建物外壁に当接させ、挿入孔３１３に固定具を挿入することで建物外壁に固定部３１を固定することができる。
【００２１】
ガイド部３２は、固定部３１の水平板部３１２の建物外方側の端部から、建物外壁から離れる方向に湾曲して水平に延びる立面３２１を備えている。ガイド部３２の先端には、建物外壁側に曲がる屈曲部３２２が形成されている。なお、立面３２１は、建物と平行に設けられた平面や、平面と湾曲面が組み合わされたものであってもよい。
【００２２】
段部３３は、固定部３１側に位置するガイド部３２の立面３２１から建物外方側に向かって突出している。具体的には、段部３３は、立面３２１から建物外方側に向かって突出する第１片３３１と、第１片３３１の先端から水平方向に略直角に曲がる第２片３３２とを備えている。第２片３３２は、第１片３３１よりも先端側のガイド部３２に接続している。また、第２片３３２の表面には、略半球形の突起部３３３が設けられている。
【００２３】
図３および図４に例示したように、可動部材４は、中空部８を備えた収容部５と、一対の挟持片６と、押出部材７とを備えている。
【００２４】
収容部５は、上面部５１、下面部５２、側面部５３および背面部５４を備え、内部が中空な略直方体状に形成されている。
【００２５】
竪樋１と対向する側の面には、矩形状の開口部８１が形成されている。開口部８１の外周縁には、開口部８１の外周縁から外側に広がる枠部５５が形成されている。また、側面部５３同士の間には、竪樋１と対向する方向と直交する水平方向に貫通する略角柱状の貫通口８２が形成されている。中空部８は、開口部８１と貫通口８２とが、収容部５の内部で連通して形成されている。
【００２６】
背面部５４（建物外壁側の面）には、一方の側面部５３の端部から他方の側面部５３側に向かって水平なライン状に切り欠かれたスリット部５４aが形成されている。スリット部５４aも中空部８（貫通口８２および開口部８１）と連通している。
【００２７】
挟持片６は、収容部５の開口部８１側に位置する水平方向の両端部から竪樋１と対向する側に向かって延びている。一対の挟持片６は互いに略平行であり、先端部には、内側に向かって屈曲する爪部６１が形成されている。
【００２８】
押出部材７は、収容部５の中空部８内に保持されている。押出部材７は、押出部７１と、拡開部７２と、突出部７３とを備えている。
【００２９】
押出部７１は、押出部材７の背面側に位置しており、対向する一対の押出部７１は互いに離間し、間に溝部７１aが形成されている。
【００３０】
拡開部７２は、一対の押出部７１の外端部から収容部５の開口部８１側に向かって延び、かつ、側面部５３側に向かってやや拡がっている。拡開部７２の開口部８１側には、垂直方向に平坦な平坦面７２aが形成されている。
【００３１】
突出部７３は、両側の拡開部７２の平坦面７２aの内側付近から開口部８１の水平方向の中央側に向かって傾斜して突出している。突出部７３の先端には垂直方向に平坦な当接面７３aが形成されている。
【００３２】
押出部材７は、収容部５の中空部８内を移動することができる。押出部材７は、押出部７１と収容部５の背面部５４とが離間している状態では、突出部７３の当接面７３aは開口部８１から外側に突出している。また、押出部材７の内側には内部空間７aが形成されており、溝部７１aを通じて中空部８と連通している。
【００３３】
図５は、図１〜図４に示した竪樋支持構造の一実施形態において、竪樋を竪樋支持具に仮止めした状態を例示した水平方向の断面図である。図６は、図５に示した実施形態において、竪樋を竪樋支持具に固定した状態を例示した水平方向の断面図である。
【００３４】
図５に例示したように、この実施形態の竪樋支持具２は、固定部材３のガイド部３２が、可動部材４の収容部５の一方の貫通口８２から挿入されている。ガイド部は３２は、押出部材７の背面側（押出部材７と収容部５の背面部５４との間）を通して貫通口８２に挿入されており、ガイド部３２の先端側は他方の貫通口８２から突出している。可動部材４は、ガイド部３２の立面３２１に沿ってスライド自在に保持されている。
【００３５】
図５に例示した状態では、可動部材４が固定部材３のガイド部３２の先端側に位置しており、挟持片６の爪部６１によって竪樋１の結合部１２の係合爪１２bを保持して竪樋１を仮止めすることができる。
【００３６】
図１−図５に示したように、可動部材４のガイド部３２の立面３２１が、固定部３１から離れるにつれて建物から離れる方向に湾曲している場合、建物から離れた位置で竪樋支持具２に竪樋１を取り付けることができるため、作業性が良好になる。特に、立面３２１が、竪樋本体１１の曲面と同心となる曲面の場合、可動部材４をガイド部３２に沿ってスライドさせても、竪樋本体１１の中心位置が変わりにくい。したがって、寸法取の精度を向上させることができ、また、エルボや排水管カバーなどの部材をスライド前に取り付けることができるため、好ましい。
【００３７】
図５に例示した状態では、固定部材３の段部３３は、可動部材４の収容部５の中空部８内にほぼ挿入されておらず、押出部材７は、ガイド部３２の立面３２１によって開口部８１側に押し出されることはない。このため、突出部７３の当接面７３aは、結合部１２の間の竪樋本体１１と当接していないか、または、当接面７３aが竪樋本体１１と当接している場合も、押出部材７が軽く動く状態となっている。したがって、この状態では、竪樋１は、挟持片６の爪部６１のみによって仮止めされており、竪樋１を上下に動かすことができるため、位置調整を容易に行うことができる。なお、竪樋１の「仮止め」とは、竪樋支持具２２によって保持されているが、竪樋１を上下に動かすことができる状態をいう。
【００３８】
図６に例示したように、竪樋１が仮止めされた状態（図５の状態）で、可動部材４をガイド部３２の立面３２１に沿って固定部３１側にスライドさせると、固定部材３の水平板部３１２の先端付近が可動部材４の収容部５のスリット部５４aに挿入される。これによって、可動部材４が固定部材１の正面に配置され、可動部材４の開口部８１が建物外方側に対向する。このとき、収容部５の中空部８（貫通口８２）内に、固定部材３の段部３３が挿入され、段部３３が押出部材７の押出部７１と当接するため、押出部材７を開口部８１側（図中の矢印方向）に押し出すことができる。
【００３９】
さらに、段部３３には突起部３３３が設けられているため、突起部３３３が押出部材７の溝部７１aに係止されることで押出部材７が位置決めされ、押出部材７のぐらつきなど抑制される。
【００４０】
押出部材７は、段部３３との当接によって開口部８１側に押し出されると、開口部８１側に押し出された押出部材７は、突出部７３の当接面７３aが結合部１２の間の竪樋本体１１と当接する。したがって、この状態では、竪樋１は、一対の挟持片６の各爪部６１と突出部７３の当接面７３aとによって３点で当接して安定に固定される。なお、例えば、竪樋１を保持せず、可動部材４を単独でガイド部３２の立面３２１に沿って固定部３１側にスライドさせた場合も、押出部材７が段部３３との当接によって開口部８１側に押し出される。しかしながら、この場合、拡開部７２の平坦面７２aが収容部５の開口部８１の外周縁の枠部５５の内側と当接するため、押出部材７が開口部８１から脱落することが抑制されている。
【００４１】
この実施形態の竪樋支持構造では、図５に例示した竪樋の仮止め状態から、可動部材４を固定部３１側にスライドさせるだけで、竪樋１を固定することができる（図６）。このため、竪樋１の仮止め状態で位置調整を行った後、竪樋１を固定する作業をスムーズに行うことができる。
【００４２】
図７は、本発明の竪樋支持構造の別の実施形態において、竪樋を竪樋支持具に仮止めした状態を例示した水平方向の断面図である。図８は、図７に示した実施形態において、竪樋１を竪樋支持具２に固定した状態を例示した水平方向の断面図である。図１〜図６で示した実施形態と共通する部分には、同一の符号を付し、以下では説明を一部省略する。
【００４３】
この実施形態の竪樋支持構造では、竪樋１の結合部１２は、竪樋本体１１から突出する接続部１２cと、接続部１２cの突出方向と直交し、垂直方向に長尺な板状部１２dとを備えている。
【００４４】
図８に例示したように、この実施形態の竪樋支持構造では、竪樋１の板状部１２dの両端部が可動部材４の挟持片６の爪部６１によって保持されている状態では、突出部７３の当接面７３aも、結合部１２の間の竪樋本体１１と当接していない。したがって、この状態では、竪樋１は、挟持片６の爪部６１のみによって仮止めされており、竪樋１を上下に動かすことができるため、位置調整を容易に行うことができる。
【００４５】
また、図８に例示したように、図７に例示した竪樋１の仮止め状態から、可動部材４をガイド部３２の立面３２１に沿って固定部３１側にスライドさせると、段部３３が押出部材７の押出部７１と当接するため、押出部材７を開口部８１側に押し出すことができる。開口部８１側に押し出された押出部材７は、突出部７３の当接面７３aが結合部１２の板状部１２dと当接するため、竪樋１は、一対の挟持片６の各爪部６１と突出部７３の当接面７３aとの３点によって安定に固定される。
【００４６】
この実施形態の樋支持構造においても、図７に例示した竪樋１の仮止め状態から、可動部材４を固定部３１側にスライドさせるだけで、竪樋１を固定することができる（図８）。このため、竪樋１の仮止め状態で位置調整を行った後、竪樋１を固定する作業をスムーズに行うことができる。
【００４７】
本発明の竪樋支持構造は、以上の実施形態に限定されるものではない。
【符号の説明】
【００４８】
１    竪樋
１１  竪樋本体
１２  結合部
２    竪樋支持具
３    固定部材
３１  固定部
３２  ガイド部
３２１  立面
３３  段部
３３３  突起部
４    可動部材
５    収容部
５４a  スリット部
６    挟持片
７    押出部材
７１a  溝部
８    中空部
８１  開口部
８２  貫通口
【図１】
2018119373.tif 000003
【図２】
2018119373.tif 000004
【図３】
2018119373.tif 000005
【図４】
2018119373.tif 000006
【図５】
2018119373.tif 000007
【図６】
2018119373.tif 000008
【図７】
2018119373.tif 000009
【図８】
2018119373.tif 000010